(57)【要約】【課題】入稿者又は製版所確認担当者の負担なく、適切な印刷製版データを作成することができる入稿データチェック装置を提供することを課題とする。【解決手段】印刷の対象となる印刷製版データと当該印刷製版データの仕様情報を含む入稿データから、前記仕様情報を抽出し、チェック項目が定められたチェック項目ファイルを参照して、前記抽出手段が抽出した仕様情報の可否を判断してチェック結果を提示する。抽出した仕様情報に基づいて入稿仕様書を作成する。【選択図】図３
2012022629.tif 000002
【特許請求の範囲】
【請求項１】
入稿データをチェックする入稿データチェック装置であって、
印刷の対象となる印刷製版データと当該印刷製版データの仕様情報を含む前記入稿データから、前記仕様情報を抽出する抽出手段と、
チェック項目が定められたチェック項目ファイルを参照して、前記抽出手段が抽出した仕様情報の可否を判断してチェック結果を提示するチェック結果提示手段と、
前記抽出手段が抽出した仕様情報に基づいて入稿仕様書を作成する入稿仕様書作成手段と、
を有することを特徴とする入稿データチェック装置。
【請求項２】
請求項１に記載の入稿データチェック装置であって、
入稿データ編集アプリケーションで編集中の前記印刷製版データの制作内容及び制作環境を、前記印刷製版データの前記仕様情報として、他のアプリケーションから読み取り可能な前記入稿データの非暗号化部に保存する保存手段を有し、
前記抽出手段は、前記入稿データの非暗号化部に保存された前記仕様情報を抽出することを特徴とする入稿データチェック装置。
【請求項３】
請求項１又は請求項２に記載の入稿データチェック装置であって、
前記チェック項目の入力を受け付ける入力手段と、
前記入力手段によって受け付けられたチェック項目に基づいて前記チェック項目ファイルを作成するチェック項目ファイル作成手段と、
を有することを特徴とする入稿データチェック装置。
【請求項４】
コンピュータを、請求項１乃至請求項３のいずれか一項に記載の入稿データチェック装置として機能させることを特徴とする入稿データチェックプログラム。
【請求項５】
入稿データチェック装置による入稿データチェック方法であって、
印刷の対象となる印刷製版データと当該印刷製版データの仕様情報を含む入稿データから、前記仕様情報を抽出し、チェック項目が定められたチェック項目ファイルを参照して、抽出された仕様情報の可否を判断してチェック結果を提示し、抽出された仕様情報に基づいて入稿仕様書を作成することを特徴とする入稿データチェック方法。
【発明の詳細な説明】
【技術分野】
【０００１】
本発明は、カタログ・チラシ・ポスター等の印刷物の印刷製版データに関し、特に製版に適切な印刷製版データの作成を支援することが可能な入稿データチェック装置等に関する。
【背景技術】
【０００２】
カタログ・チラシ・ポスター等の紙面デザインは、デザイナー等の入稿者がＤＴＰ編集ソフトを用いて制作している。デザイナーが制作したデザインデータ（以下、ＤＴＰデータと言う）は、製版所（印刷会社）に入稿され、修正・加工・印刷される。入稿者がＤＴＰデータを制作する場合、製版において文字化け、文字位置ずれなど正確に印刷できない事態を防ぐため、製版所が求める仕様に合わせなければならない。
【０００３】
入稿データは、光磁気ディスク等のメディアに記録されていることが多く、ＤＴＰデータの仕様は、メディアの表面上から確認することができない。したがって、製版所が求める仕様（使用したＰＣ，使用したＯＳ，使用した編集ソフト，使用したフォント，使用した機能等）についてのチェック項目を記入した入稿仕様書をメディアに添付して入稿する。
【０００４】
しかし、入稿仕様書の添付し忘れ、入稿仕様書の記載漏れ・記載間違い等が発生するといった問題がある。特に、ＤＴＰ編集ソフトの機能増加に伴い、入稿されるＤＴＰデータが複雑化しており、データ内容をすべて把握して記入することが入稿者の負担となっている。また、製版所にて、ＤＴＰデータ確認担当者を用意し、担当者が入稿直後にＤＴＰデータの内容をＤＴＰ編集ソフトで読み出してチェックする工程を設ける場合もあるが、複雑で手間のかかる作業であり、作業効率も悪い。特許文献１には、データヘッダー部に記述されたファイル内容をＤＴＰ編集ソフトでデータを開くことなく抽出し、データに問題があるかどうかのチェックを可能とする技術が開示されている。
【先行技術文献】
【特許文献】
【０００５】
【特許文献１】特開２０００−２８０４３５号公報
【発明の概要】
【発明が解決しようとする課題】
【０００６】
しかし、データヘッダー部に記述された内容は、ファイルの概要（ファイル名、作成日時）程度の情報であり、製版所が知りたい制作内容については記載されていないことが多い。また、使用するＤＴＰ編集ソフトによりデータのヘッダー内容が異なる場合には、各ＤＴＰデータの制作に使用された各ＤＴＰ編集ソフトに合わせたヘッダーの解析をしなければならないという問題もある。
【０００７】
そこで、本発明は、このような問題等に鑑みて為されたもので、入稿者又は製版所確認担当者の負担なく、適切な印刷製版データの作成支援を行うことができる入稿データチェック装置を提供することを課題とする。
【課題を解決するための手段】
【０００８】
上記課題を解決するために、請求項１に記載の発明は、入稿データをチェックする入稿データチェック装置であって、印刷の対象となる印刷製版データと当該印刷製版データの仕様情報を含む前記入稿データから、前記仕様情報を抽出する抽出手段と、チェック項目が定められたチェック項目ファイルを参照して、前記抽出手段が抽出した仕様情報の可否を判断してチェック結果を提示するチェック結果提示手段と、前記抽出手段が抽出した仕様情報に基づいて入稿仕様書を作成する入稿仕様書作成手段と、を有することを特徴とする入稿データチェック装置である。
【０００９】
上記課題を解決するために、請求項２に記載の発明は、請求項１に記載の入稿データチェック装置であって、入稿データ編集アプリケーションで編集中の前記印刷製版データの制作内容及び制作環境を、前記印刷製版データの前記仕様情報として、他のアプリケーションから読み取り可能な前記入稿データの非暗号化部に保存する保存手段を有し、前記抽出手段は、前記入稿データの非暗号化部に保存された前記仕様情報を抽出することを特徴とする入稿データチェック装置である。
【００１０】
上記課題を解決するために、請求項３に記載の発明は、請求項１又は請求項２に記載の入稿データチェック装置であって、前記チェック項目の入力を受け付ける入力手段と、前記入力手段によって受け付けられたチェック項目に基づいて前記チェック項目ファイルを作成するチェック項目ファイル作成手段と、を有することを特徴とする入稿データチェック装置である。
【００１１】
上記課題を解決するために、請求項４に記載の発明は、コンピュータを、請求項１乃至請求項３のいずれか一項に記載の入稿データチェック装置として機能させることを特徴とする入稿データチェックプログラムである。
【００１２】
上記課題を解決するために、請求項５に記載の発明は、入稿データチェック装置による入稿データチェック方法であって、印刷の対象となる印刷製版データと当該印刷製版データの仕様情報を含む入稿データから、前記仕様情報を抽出し、チェック項目が定められたチェック項目ファイルを参照して、抽出された仕様情報の可否を判断してチェック結果を提示し、抽出された仕様情報に基づいて入稿仕様書を作成することを特徴とする入稿データチェック方法である。
【発明の効果】
【００１３】
本発明は、入稿データから仕様情報を抽出し、チェック項目が定められたチェック項目ファイルを参照して、仕様情報の可否を判断してチェック結果を提示するよう構成した。また、入稿データから仕様情報を抽出するよう構成し、仕様情報に基づいて入稿仕様書を作成するよう構成した。これにより、入稿データを開くことなく、入稿仕様書を正確に作成することができ、また、入稿仕様書の作成し忘れを防止することができるなど、適切な印刷製版データの作成支援を行うことができる入稿データチェック装置を実現できる。
【図面の簡単な説明】
【００１４】
【図１】入稿データチェックシステムの概略説明図である。（Ａ）は本発明の入稿データチェック装置を入稿者側装置に適用する場合の概略説明図である。（Ｂ）は発明の入稿データチェック装置を製版所側装置に適用する場合の概略説明図である。
【図２】入稿データチェック装置１の構成例を示す図である。
【図３】（Ａ）は入稿データの概略説明図である。（Ｂ）は入稿データのデータ構造の説明図である。
【図４】仕様情報保存処理及び入稿仕様書作成処理を示すフローチャートである。
【図５】入稿仕様書の一例を示す図である。
【図６】チェック項目カスタマイズ処理を示すフローチャートである。
【図７】入稿データのチェック処理を示すフローチャートである。
【図８】共通のデータ項目ファイルを用いた入稿データのチェック処理の概略説明図である。
【図９】入稿データの表示領域の内容に基づくチェック処理を示すフローチャートである。
【発明を実施するための形態】
【００１５】
本実施形態の入稿データチェックシステムについて説明する。
【００１６】
図１は、入稿データチェックシステムの概略説明図である。本発明の入稿データチェック装置は、入稿者側装置又は製版所側装置に適用することができる。図１（Ａ）は、本発明の入稿データチェック装置を入稿者側装置に適用する場合の概略説明図であり、図１（Ｂ）は、本発明の入稿データチェック装置を製版所側装置に適用する場合の概略説明図である。
【００１７】
まず、入稿データチェック装置を入稿者側装置に適用する場合について、図１（Ａ）を参照して説明する。
【００１８】
入稿者側装置は、カタログ・チラシ・ポスター等の紙面デザインなど、デザイナー等の入稿者が入稿者側装置に備える入稿データ編集アプリケーション（ＤＴＰ編集ソフト）を用いて「ＤＴＰデータ」を制作する。ＤＴＰデータは、実際に印刷される文字や画像などの印刷製版データの一例である。入稿者側装置は、ＤＴＰデータを制作すると、ＤＴＰ編集ソフトに搭載された入稿データチェック機能に基づいて、制作したＤＴＰデータが、製版所の望む仕様に適合しているか否かについて、チェック項目ファイルを参照してチェックする。
【００１９】
チェック項目ファイルには、印刷、又は印刷及び製本が正確に行われるための条件がチェック項目として記述されている。チェック項目は、例えば、ＤＴＰデータを制作する際に使用するＰＣ、使用するＯＳ、使用する編集ソフト、使用するフォント、使用する機能等である。
【００２０】
また、入稿者側装置は、入稿仕様書を作成し印刷する。そして、入稿者は、ＤＴＰデータ及び仕様情報からなる「入稿データ」が記録された記録媒体に入稿仕様書を添付して製版所に入稿する。製版所では、確認担当者が、入稿された入稿データに入稿仕様書が添付されていることを確認すると、チェック項目ファイルに従ってチェックが適式に行われたチェック済みの入稿データであるとして、入稿データを製版作業工程へと送る。
【００２１】
一方、入稿データチェック装置を製版所側装置に適用する場合について、図１（Ｂ）を参照して説明する。
【００２２】
製版所の確認担当者が、入稿者から受け取った入稿データに入稿仕様書が添付されていないことを確認すると、製版所側装置により、入稿データのチェック及び入稿仕様書の作成を行う。製版所側装置は、入稿データから仕様情報を抽出し、ＤＴＰデータが、製版所の望む仕様に適合しているか否かについて、チェック項目ファイルを参照してチェックする。また、製版所側装置は、仕様情報に基づいて入稿仕様書を作成し、印刷する。そして、確認担当者が、入稿仕様書を添付して入稿データを製版作業工程へと送る。
【００２３】
以上説明したように、入稿データチェック機能は、ＤＴＰ編集ソフトに組み込んで、ＤＴＰデータ作成作業の中で入稿者側装置が実行することもでき、一方、入稿データのチェック及び入稿仕様書の作成機能を持つ独立ソフトウエアとして製版所側装置が実行することもできる。つまり、入稿者側装置と製版所側装置のいずれもが入稿データチェック装置として機能することができる。
【００２４】
入稿データチェック装置の構成及び機能について説明する。
【００２５】
図２は、入稿データチェック装置１の構成例である。
【００２６】
入稿データチェック装置１は、演算機能を有するＣＰＵ、作業用ＲＡＭ、各種データ及びプログラム（本発明の入稿データチェックプログラムを含む）を記憶するＲＯＭ等から構成されたコンピュータとしての制御部１１、ハードディスクドライブ等を備える記憶部１２、液晶ディスプレイ等の表示画面を備える表示部１３、オペレータなどの割り付け作業者からの指示を受け付け当該指示に応じた指示信号を制御部１１に対して与える入力部（例えば、キーボード、マウス、或いは、操作パネル等）１４、ネットワーク（ＬＡＮ（Local Area Network）を含む）を介してプリンター、及び図示しない他のコンピュータなどと通信を行なうための通信部１５を備えて構成されている。
【００２７】
記憶部１２は、製版所から提供されたチェック項目ファイル又はカスタマイズ後のチェック項目ファイルを記憶する。
【００２８】
制御部１１は、ＤＴＰデータの仕様情報を抽出し、記憶部１２に記憶されたチェック項目ファイルを参照してチェックを行なう。そして、チェック結果を、プリンターで印刷したり、或いは表示部１３の表示画面に表示することにより、入稿データチェック装置１の作業者（入稿者又は製版所の担当者）に提示する。
【００２９】
また、制御部１１は、抽出された仕様情報に基づいて入稿仕様書を作成し、通信部１５を介してプリンターで印刷する。
【００３０】
＜仕様情報保存処理及び入稿仕様書作成処理＞
次に、入稿データチェック装置１による仕様情報保存処理び入稿仕様書作成処理について説明する。
【００３１】
図３（Ａ）は入稿データの概略説明図であり、図３（Ｂ）は、入稿データのデータ構造の説明図である。図４は、入稿データチェック装置１の制御部１１の仕様情報保存処理及び入稿仕様書作成処理を示すフローチャートである。
【００３２】
図３（Ａ）に示すように、入稿データは、ＤＴＰデータとその仕様情報により構成される。
【００３３】
ＤＴＰデータは、入稿データの表示領域に保存されているデータである。表示領域に保存されるデータは、入稿データがＤＴＰ編集ソフトで開かれているときに表示部１３の表示画面に表示されるデータである。
【００３４】
仕様情報は、ＤＴＰデータの制作内容及び制作環境であり、仕様情報保存処理にて入稿データの非表示領域に保存されるデータである。非表示領域に保存されるデータは、入稿データがＤＴＰ編集ソフトで開かれているときに表示部１３の表示画面に表示されないデータである。また、非表示領域は、ＤＴＰ編集ソフト以外の他のアプリケーションで読み取り可能な非暗号化部に相当する（図３（Ｂ））。仕様情報を、非暗号化部に保存することにより、ＤＴＰ編集ソフトを備えない製版所側装置で仕様情報を読み取り可能に構成することができる。
【００３５】
仕様情報保存処理及び入稿仕様書作成処理は、例えば、ＤＴＰ編集ソフトでＤＴＰデータの作成中にＤＴＰデータ自身の保存処理（上書き保存を含む）が行われたときに制御部１１により開始される。なお、ＤＴＰデータ自身は他のアプリケーションで読み取りできない暗号化部に保存される。また、手動又は自動で仕様情報保存処理が指示されたときに処理を開始してもよい。
【００３６】
まず、制御部１１は、ＤＴＰ編集ソフトで編集中のＤＴＰデータの制作内容及び制作環境を抽出する（ステップＳ１及びステップＳ２）。具体的には、ＤＴＰデータを作成している編集ソフトの名称とバージョン情報を抽出し（ステップＳ１）、入稿データチェック装置１のＯＳ情報等と、ＤＴＰデータの制作内容を抽出する（ステップＳ２）。
【００３７】
続いて、制御部１１は、ステップＳ１及びステップＳ２で抽出した情報を仕様情報として入稿データの非暗号化部（非表示領域）に保存する（ステップＳ３）。図３（Ａ）では、仕様情報としてＯＳ情報、ＯＳバージョン、使用ソフト、画像カラー、使用フォント、グラデーションを挙げたが、これに限定されない。例えば、記憶部１２のチェック項目ファイルに記述されているチェック項目に対応する情報は少なくとも仕様情報として抽出することが好ましい。
【００３８】
そして、制御部１１は、非暗号化部に保存された仕様情報をプリンターで印刷して入稿仕様書を作成し（ステップＳ４）、処理を終了する。図５はステップＳ４で作成された入稿仕様書の一例である。
【００３９】
入稿データの非表示領域は、他のアプリケーションで読み取り可能な非暗号化部である（図３（Ｂ））。また、ステップＳ２で抽出されるＤＴＰデータの制作内容は、使用ソフト、画像カラー、使用フォント、グラデーション等である。なお、チェック項目ファイルが記憶部１２に保存されている場合には、制御部１１は、チェック項目ファイルに記述されているチェック項目をステップ１及びステップＳ２ですべて抽出する。
【００４０】
なお、ステップＳ４の入稿仕様書の作成処理は、ＤＴＰ編集ソフトの起動終了が指示されたときだけ処理を行うように構成してもよい。
【００４１】
上記フローチャートは、ＤＴＰデータ作成作業の中で入稿データチェック装置１として機能する入稿者側装置が実行する処理である。製版所側装置で入稿仕様書を作成する際（図１（Ｂ））には、入稿データの非暗号化部（非表示領域）に保存されている仕様情報を抽出してプリンターで印刷して作成する。
【００４２】
＜チェック項目カスタマイズ処理＞
次に、入稿データチェック装置１によるチェック項目カスタマイズ処理について説明する。
【００４３】
図６は、入稿データチェック装置１の制御部１１のチェック項目カスタマイズ処理を示すフローチャートである。チェック項目カスタマイズ処理は、チェック項目ファイルの内容を編集するための処理である。例えば、製版所から提供されたチェック項目ファイルが記憶部１２に保存されていないとき、製版所から提供され、記憶部１２に既に保存されているチェック項目ファイルを書き換えるとき等に、入稿データチェック装置１の作業者（入稿者又は製版所の担当者）からの開始指示により制御部１１により開始される。
【００４４】
まず、制御部１１は、記憶部１２にチェック項目ファイルが保存されているか否かを判定する（ステップＳ５）。判定の結果、チェック項目ファイルが記憶部１２に保存されている場合（ステップＳ５：Ｙｅｓ）には、ステップＳ７に移行する。
【００４５】
一方、チェック項目ファイルが記憶部１２に保存されていない場合（ステップＳ５：Ｎｏ）には、チェック項目ファイルが記憶部１２に準備され（ステップＳ６）、ステップＳ７へ移行する。
【００４６】
次に、制御部１１は、チェック項目カスタマイズ処理を行う（ステップＳ７）。入稿データチェック装置１が入稿者側装置である場合には、ＤＴＰ編集ソフトに組み込まれたチェック項目設定機能を実行し、入稿データチェック装置１が製版所側装置である場合には、チェック項目設定カスタマイズソフト（独立ソフト）を実行する。具体的には、制御部１１が、入力部１４を介して作業者（入稿者又は製版所の担当者）からのチェック項目の入力を受け付けてカスタマイズする。
【００４７】
そして、制御部１１は、カスタマイズ後のチェック項目に従って記憶部１２のチェック項目ファイルを更新し保存して（ステップＳ８）処理を終了する。
【００４８】
例えば、ＤＴＰデータに、製版所の製版作業工程の装置にインストールされていないフォントが使われている場合、また、ＤＴＰ編集ソフトにおいて誤認識の可能性があるフォントが使用されている場合には印刷したときに文字化けの恐れがあるため、「使用フォント」をチェック項目とすることは有効である。
【００４９】
また、ＤＴＰデータのレイアウト上に文字が収まっていない場合には、文字が印刷できない恐れがあるため、「レイアウト」をチェック項目とすることは有効である。
【００５０】
さらに、ＤＴＰデータのレイアウト上におかれた画像に、元画像データがない場合には、印刷物上で低解像度で表示されてしまう恐れがあるため、「使用画像のリンク確認」をチェック項目とすることは有効である。
【００５１】
さらに、ＤＴＰデータにおいて、白色のオブジェクトにオーバープリント機能を設定すると、印刷物上では、そのオブジェクトが視認できない恐れがあるため、「白色オブジェクトとオーバープリント機能の併存使用」をチェック項目とすることは有効である。
【００５２】
さらに、ＤＴＰデータで半透明機能を使用している場合、半透明化されたオブジェクトは印刷時に半透明として印刷されず透明度０％で印刷される恐れがあるため、「半透明機能の使用」をチェック項目とすることは有効である。
【００５３】
＜入稿データのチェック処理＞
次に、入稿データチェック装置１による入稿データのチェック処理について説明する。
【００５４】
図７は、入稿データチェック装置１の制御部１１の入稿データのチェック処理を示すフローチャートである。
【００５５】
制御部１１は、記憶部１２に記憶されているチェック項目ファイルからチェック項目内容を抽出する（ステップＳ１１）。次に、制御部１１は、非暗号化部に保存された仕様情報を取得する（ステップＳ１２）。そして、制御部１１は、ステップＳ１２で取得した仕様情報を、ステップＳ１１で抽出したチェック項目内容と照合して、チェック項目内容に適合しているか否かに基づいて仕様情報の可否を判断してチェックし（ステップＳ１３）、チェック結果を作業者に提示して（ステップＳ１４）、処理を終了する。
【００５６】
以上説明したように、本実施形態では、入稿データから仕様情報を抽出し、チェック項目が定められたチェック項目ファイルを参照して、チェック項目内容に適合しているか否かに基づいて仕様情報の可否を判断してチェック結果を提示するよう構成した。さらに、仕様情報に基づいて入稿仕様書を作成するよう構成した。さらに、入稿データから仕様情報を抽出するよう構成した。これにより、入稿データを開くことなく、入稿仕様書を正確に作成することができ、入稿仕様書の作成し忘れを防止することができる等、入稿者又は製版所確認担当者の負担なく、適切なＤＴＰデータの作成を行うことができる。
【００５７】
さらに、本実施形態では、ＤＴＰデータの仕様情報を他のアプリケーションから読み取り可能な非暗号化部に保存するよう構成した。したがって、ＤＴＰ編集ソフトを持たない製版所側装置でも仕様情報を読み出してチェックすることができる。
【００５８】
さらに、本実施形態では、ＯＳ情報等のＤＴＰデータの制作内容及び制作環境を仕様情報として抽出し、非暗号化部に保存するよう構成した。したがって、ＤＴＰ編集ソフトを持たない製版所側装置でもＯＳ情報等のＤＴＰデータの制作内容及び制作環境を読み出してチェックすることができる。
【００５９】
さらに、本実施形態では、チェック項目をカスタマイズできるよう構成した。
【００６０】
さらに、本実施形態では、チェック項目ファイルをデータとして記憶部１２に保存するよう構成した。したがって、記憶部１２のチェック項目ファイルデータを参照することにより、共通のチェック項目に基づいて複数の入稿データのチェックを行うことができる。また、通信部１５を介して他のコンピュータから記憶部１２のチェック項目ファイルデータにアクセス可能に構成すれば、複数のコンピュータで制作された複数の入稿データのチェックを共通のチェック項目ファイルに基づいて行うこともできる。
【００６１】
図８は、共通のデータ項目ファイルを用いた入稿データのチェック処理の概略説明図である。
【００６２】
記憶部１２には、チェック項目ファイルＡ〜Ｃが保存されている。各入稿データａ〜ｄについて、記憶部１２に保存されたチェック項目ファイルのうち、予め対応付けられたチェック項目ファイルを参照してチェック処理を行う。
【００６３】
例えば、入稿データａは、入稿データａの仕様情報に基づいてチェック項目ファイルＡを参照してチェックする。
【００６４】
入稿データｂは、入稿データｂの仕様情報に基づいてチェック項目ファイルＢを参照してチェックを行い、入稿データｃも、入稿データｃの仕様情報に基づいてチェック項目ファイルＢを参照してチェックを行なう。
【００６５】
入稿データｄは、入稿データｄの仕様情報に基づいてチェック項目ファイルＣを参照してチェックを行なう。
【００６６】
このように、複数の入稿データａ〜ｄについて、ＤＴＰ編集ソフトでＤＴＰデータを開くことなく、予め対応付けられたチェック項目ファイルＡ〜Ｃを参照してチェックすることができる。特に、共通するチェック項目ファイルＢを参照して、入稿データｂ及びｃについて、ＤＴＰ編集ソフトでＤＴＰデータを開くことなく、チェックすることもできる。
【００６７】
＜入稿データのチェック処理の変形例＞
入稿データのチェック処理の変形例として、入稿データチェック装置１が入稿者側装置である場合には、ＤＴＰ編集ソフトで現在開いている入稿データの表示領域の内容に従ってチェックすることもできる。図９を参照して、ＤＴＰ編集ソフトで現在開いているＤＴＰデータの表示領域の内容に従ってチェックする手法について説明する。
【００６８】
制御部１１は、記憶部１２に記憶されているチェック項目ファイルからチェック項目内容を抽出する（ステップＳ２１）。
【００６９】
次に、制御部１１は、ＤＴＰ編集ソフトで編集中のＤＴＰデータの制作内容及び制作環境を取得する。具体的には、ＯＳ情報と、編集中のＤＴＰデータの制作内容を取得する（ステップＳ２２）。
【００７０】
そして、制御部１１は、ステップＳ２２で取得した編集中のＤＴＰデータの制作内容とＯＳ情報を、ステップＳ２１で抽出したチェック項目内容と照合して、仕様情報が、チェック項目内容に適合しているか否かに基づいて仕様情報の可否を判断してチェックし（ステップＳ２３）、チェック結果を作業者に提示して（ステップＳ２４）、処理を終了する。
【００７１】
これによれば、ＤＴＰデータ編集中に、ＯＳ情報等と、ＤＴＰ編集ソフトで現在開いているＤＴＰデータに基づいて、チェック処理を行うことができる。
【００７２】
なお、入稿データが特定のサーバー上にアップロードされることにより入稿が行われる場合には、入稿者側装置が入稿データをアップロードする際、仕様情報保存処理及び入稿仕様書作成処理（図４）、及び入稿データのチェック処理（図７又は図９）を実行することにより、入稿時に自動で入稿仕様書の作成が行われ、自動チェックも行われる。この場合、例えば、入稿仕様書はテキストデータとして作成され、入稿データと対応付けられてサーバー上に保存されるよう構成すればよい。
【符号の説明】
【００７３】
１    入稿データチェック装置
１１  制御部
１２  記憶部
１３  表示部
１４  入力部
１５  通信部
【図１】
2012022629.tif 000003
【図２】
2012022629.tif 000004
【図３】
2012022629.tif 000005
【図４】
2012022629.tif 000006
【図５】
2012022629.tif 000007
【図６】
2012022629.tif 000008
【図７】
2012022629.tif 000009
【図８】
2012022629.tif 000010
【図９】
2012022629.tif 000011